(57)【要約】【課題】変更情報を獲得したときに一度表示するだけであり、この変更情報を番組表と関連付けて確認することができなかった。【解決手段】ネットワーク情報テーブルにネットワークに関する変更情報が含まれている場合にネットワーク情報テーブルから当該変更情報として少なくともネットワークの変更作業についての時間情報を取得し、当該取得した変更情報を所定の記録媒体に記録する変更情報記録手段と、番組情報に基づく電子番組ガイドの表示指示を受付ける表示指示受付手段と、上記表示指示受付手段によって上記表示指示が受付けられた場合に、所定の画面に上記番組情報に基づく電子番組ガイドの番組表を表示するとともに、上記記録媒体に記録されている変更情報に基づいて上記ネットワークの変更作業についての時間を当該番組表上に表示する表示手段とを備える。【選択図】図２
2011010106.tif 000002
【特許請求の範囲】
【請求項１】
デジタル放送信号を受信し、受信したデジタル放送信号から番組情報およびネットワーク情報テーブルを取得するデジタル放送受信装置であって、
上記ネットワーク情報テーブルにネットワークに関する変更情報が含まれている場合にネットワーク情報テーブルから当該変更情報として少なくともネットワークの変更作業についての時間情報を取得し、当該取得した変更情報を所定の記録媒体に記録する変更情報記録手段と、
上記番組情報に基づく電子番組ガイドの表示指示を受付ける表示指示受付手段と、
上記表示指示受付手段によって上記表示指示が受付けられた場合に、所定の画面に上記番組情報に基づく電子番組ガイドの番組表を表示するとともに、上記記録媒体に記録されている変更情報に基づいて上記ネットワークの変更作業についての時間を当該番組表上に表示する表示手段とを備えることを特徴とするデジタル放送受信装置。
【請求項２】
上記変更情報記録手段は、上記変更情報として、上記ネットワーク情報テーブルに含まれているネットワークの変更を通知する記述子から変更開始時間の情報と変更作業期間の情報とを抽出し、当該抽出した各情報を上記記録媒体に記録し、
上記表示手段は、上記変更開始時間の情報および変更作業期間の情報に基づいて上記ネットワークの変更作業の時間帯を特定するとともに当該特定した時間帯を示す表示を上記番組表上に行なうことを特徴とする請求項１に記載のデジタル放送受信装置。
【請求項３】
上記表示手段は、上記特定した時間帯を示す矩形を上記番組表に重ね合せて表示することを特徴とする請求項２に記載のデジタル放送受信装置。
【請求項４】
上記表示手段は、現在の時刻が上記ネットワークの変更作業の時間帯に該当する場合には、上記番組表における当該ネットワークの変更作業の時間帯に該当する位置に、所定の警告表示を行なうことを特徴とする請求項２または請求項３に記載のデジタル放送受信装置。
【請求項５】
上記表示手段は、上記変更開始時間の情報に基づいて、上記番組表におけるネットワークの変更作業の時間帯に該当する位置に当該変更作業の開始時刻を表示することを特徴とする請求項２〜請求項４のいずれかに記載のデジタル放送受信装置。
【請求項６】
上記表示手段は、上記番組表上で選択された番組の時間帯の少なくとも一部が上記ネットワークの変更作業の時間帯に抵触する場合に、所定の警告表示を行なうことを特徴とする請求項２〜請求項５のいずれかに記載のデジタル放送受信装置。
【請求項７】
上記表示手段は、上記ネットワークの変更作業の開始時間以降の時間帯に該当する上記番組表内の領域においては各番組に関する情報を表示しないことを特徴とする請求項２〜請求項６のいずれかに記載のデジタル放送受信装置。
【請求項８】
上記変更情報記録手段は、上記変更情報として、上記ネットワーク情報テーブルに含まれているネットワークの変更を通知する記述子から変更タイプの情報を抽出し、当該抽出した情報を上記記録媒体に記録し、
上記表示手段は、上記変更タイプの情報に基づいて上記ネットワークの変更作業についてのタイプを上記番組表上に表示することを特徴とする請求項１〜請求項７のいずれかに記載のデジタル放送受信装置。
【請求項９】
上記変更情報記録手段は、上記変更情報として、上記ネットワーク情報テーブルに含まれているメッセージを通知するための記述子からネットワークの変更に関するメッセージを抽出し、当該抽出したメッセージを上記記録媒体に記録し、
上記表示手段は、上記記録されたメッセージに基づいて上記ネットワークの変更作業に関するメッセージを上記番組表上に表示することを特徴とする請求項１〜請求項８のいずれかに記載のデジタル放送受信装置。
【請求項１０】
デジタル放送信号を受信し、受信したデジタル放送信号から番組情報およびネットワーク情報テーブルを取得するデジタル放送受信装置であって、
上記ネットワーク情報テーブルにネットワークの変更を通知する記述子およびメッセージを通知するための記述子が含まれている場合に、ネットワークに関する変更情報として、当該ネットワークの変更を通知する記述子から変更開始時間の情報と変更作業期間の情報と変更タイプの情報と上記メッセージを通知するための記述子との関連付けをするためのメッセージＩＤとを抽出するとともに当該メッセージＩＤに関連付けられた上記メッセージを通知するための記述子からネットワークの変更に関するメッセージを抽出し、変更情報を抽出する度に当該抽出した変更開始時間の情報と変更作業期間の情報と変更タイプの情報とネットワークの変更に関するメッセージとの組み合わせからなる変更情報を、所定の記録媒体に記録済みの過去に取得した変更情報を消去することなく当該記録媒体に追加して記録する変更情報記録手段と、
上記番組情報に基づく電子番組ガイドの表示指示を受付ける表示指示受付手段と、
上記表示指示受付手段によって上記表示指示が受付けられた場合に、
所定の画面に上記番組情報に基づく電子番組ガイドの番組表を表示するとともに、
上記記録媒体に記録されている変更情報毎の変更開始時間の情報および変更作業期間の情報に基づいて特定したネットワークの変更作業毎の時間帯を示す矩形であってネットワークの変更作業毎に色が異なる矩形を上記番組表に重ね合せて表示し、
現在の時刻が上記ネットワークの変更作業の時間帯に該当する場合には、上記番組表における現在の時刻が該当するネットワークの変更作業の時間帯に該当する位置に、現在は番組の視聴が不可能である旨の警告表示を行ない、
上記変更情報毎の変更開始時間の情報に基づいて、上記番組表における現在の時刻より後のネットワークの変更作業の時間帯に該当する位置に変更作業の開始時刻を表示し、
上記番組表上で選択された番組の時間帯の少なくとも一部が上記ネットワークの変更作業の時間帯に抵触する場合には、当該選択された番組の少なくとも一部が視聴不能となる旨の警告表示を行ない、
上記ネットワークの変更作業の開始時間以降の時間帯に該当する上記番組表内の領域においては各番組に関する情報を表示せず、
上記変更情報毎の変更タイプの情報に基づいて、上記ネットワークの変更作業についてのタイプを各変更作業の時間帯に該当する番組表上の位置に表示し、
上記変更情報毎のメッセージに基づいて、上記ネットワークの変更作業に関するメッセージを各変更作業の時間帯に該当する番組表上の位置に表示する表示手段と、
を備えることを特徴とするデジタル放送受信装置。
【発明の詳細な説明】
【技術分野】
【０００１】
本発明は、デジタル放送受信装置に関する。
【背景技術】
【０００２】
デジタル放送信号を受信し、受信したデジタル放送信号からネットワーク情報テーブル（ＮＩＴ：Network Information Table）を取得するデジタル放送受信装置として、常に受信しているＥＰＧやデジタル放送におけるＮＩＴ等の放送局情報等を参照して放送サービスの数が減少したと判断した場合には、放送サービスグループテーブルと、取得できたＥＰＧや放送局情報とを比較することにより、存在しなくなった放送サービスや新規追加された放送サービスを検出し、その場合には、放送サービスグループリストから存在しなくなった放送サービスを削除したり、新規追加になった放送サービスをリストに追加する放送受信装置が知られている（特許文献１参照。）。
【０００３】
また、ネットワークから周期的に送信されるＮＩＴを取得し、ＮＩＴに含まれているサービス変更情報（現在より後に追加、削除、または変更される他のネットワークのサービスに関する情報と、追加、削除または変更が有効となる有効時刻に関する情報）と、サービス変更情報テーブルとを比較し、新たに追加されているサービス変更情報があれば、サービス変更情報テーブルにその情報を追加するデジタル放送受信機が知られている（特許文献２参照。）。
また、放送とともに提供されている、番組に関するメタデータを取得し、このメタデータをＥＰＧに統合して画面に表示するメタデータ電子表示装置が知られている（特許文献３参照。）。
【先行技術文献】
【特許文献】
【０００４】
【特許文献１】特開２００８‐２２０４７号公報
【特許文献２】特開２００１‐２０３９４８号公報
【特許文献３】特開２００８‐５２８２号公報
【発明の概要】
【発明が解決しようとする課題】
【０００５】
デジタル放送の規格においては、ネットワークに関する変更が行われることを事前に通知する変更情報が、放送の一部に含まれて不定期に受信装置に送られてくる。ここで言うネットワークの変更とは、例えば、放送に用いる周波数帯の変更や、サービス内容の変更や、マルチプレックスの追加・削除等を言う。従来は、このような変更情報が放送局側から送られてきた場合、受信装置では獲得した変更情報をテレビ画面に一度表示してユーザに変更情報の内容を知らせていた。これまでは、このように獲得した変更情報を、獲得したときに一度表示するだけであったため、例えば、この変更情報を番組放送の実際のスケジュール（番組表）と関連付けて確認したいといったユーザの要望に応えることができなかった。
【０００６】
本発明は上記課題に鑑みてなされたもので、獲得したネットワークに関する変更情報を番組表と関連付けて確認することが可能なデジタル放送受信装置を提供することを目的とする。
【課題を解決するための手段】
【０００７】
上記目的を達成するため、本発明は、デジタル放送信号を受信し、受信したデジタル放送信号から番組情報およびＮＩＴを取得するデジタル放送受信装置であって、上記ＮＩＴにネットワークに関する変更情報が含まれている場合にＮＩＴから当該変更情報として少なくともネットワークの変更作業についての時間情報を取得し、当該取得した変更情報を所定の記録媒体に記録する変更情報記録手段と、上記番組情報に基づく電子番組ガイド（ＥＰＧ）の表示指示を受付ける表示指示受付手段と、上記表示指示受付手段によって上記表示指示が受付けられた場合に、所定の画面に上記番組情報に基づくＥＰＧの番組表を表示するとともに、上記記録媒体に記録されている変更情報に基づいて上記ネットワークの変更作業についての時間を当該番組表上に表示する表示手段とを備える構成としてある。
本発明によれば、ＥＰＧの番組表を画面に表示するときに、ネットワークの変更作業についての時間も番組表上に表示されるため、ユーザは番組スケジュールと関連付けてネットワークの変更作業の時間を把握することができる。
【０００８】
上記変更情報記録手段は、上記変更情報として、上記ＮＩＴに含まれているネットワークの変更を通知する記述子から変更開始時間の情報と変更作業期間の情報とを抽出し、当該抽出した各情報を上記記録媒体に記録し、上記表示手段は、上記変更開始時間の情報および変更作業期間の情報に基づいて上記ネットワークの変更作業の時間帯を特定するとともに当該特定した時間帯を示す表示を上記番組表上に行なうとしてもよい。より具体的には、上記表示手段は、上記特定した時間帯を示す矩形を上記番組表に重ね合せて表示するとしてもよい。
【０００９】
さらに上記表示手段は、現在の時刻が上記ネットワークの変更作業の時間帯に該当する場合には、上記番組表における当該ネットワークの変更作業の時間帯に該当する位置に、所定の警告表示を行なうとしてもよいし、上記変更開始時間の情報に基づいて、上記番組表におけるネットワークの変更作業の時間帯に該当する位置に当該変更作業の開始時刻を表示するとしてもよい。
【００１０】
さらに上記表示手段は、上記番組表上で選択された番組の時間帯の少なくとも一部が上記ネットワークの変更作業の時間帯に抵触する場合に、所定の警告表示を行なうとしてもよいし、上記ネットワークの変更作業の開始時間以降の時間帯に該当する上記番組表内の領域においては各番組に関する情報を表示しないとしてもよい。
【００１１】
さらに上記変更情報記録手段は、上記変更情報として、上記ＮＩＴに含まれているネットワークの変更を通知する記述子から変更タイプの情報を抽出し、当該抽出した情報を上記記録媒体に記録し、上記表示手段は、上記変更タイプの情報に基づいて上記ネットワークの変更作業についてのタイプを上記番組表上に表示するとしてもよい。また、変更情報記録手段は、上記変更情報として、上記ＮＩＴに含まれているメッセージを通知するための記述子からネットワークの変更に関するメッセージを抽出し、当該抽出したメッセージを上記記録媒体に記録し、上記表示手段は、上記記録されたメッセージに基づいて上記ネットワークの変更作業に関するメッセージを上記番組表上に表示するとしてもよい。
【００１２】
本発明の技術的思想は、デジタル放送受信装置以外によっても実現可能である。例えば、当該装置の各構成が実行する処理工程を備える方法の発明や、当該装置の各構成が実行する機能を、装置に実現させるコンピュータ読取可能なプログラムの発明をも把握可能である。さらには、デジタル放送信号を受信し、受信したデジタル放送信号から番組情報およびＮＩＴを取得するデジタル放送受信装置であって、上記ＮＩＴにネットワークの変更を通知する記述子およびメッセージを通知するための記述子が含まれている場合に、ネットワークに関する変更情報として、当該ネットワークの変更を通知する記述子から変更開始時間の情報と変更作業期間の情報と変更タイプの情報と上記メッセージを通知するための記述子との関連付けをするためのメッセージＩＤとを抽出するとともに当該メッセージＩＤに関連付けられた上記メッセージを通知するための記述子からネットワークの変更に関するメッセージを抽出し、変更情報を抽出する度に当該抽出した変更開始時間の情報と変更作業期間の情報と変更タイプの情報とネットワークの変更に関するメッセージとの組み合わせからなる変更情報を、所定の記録媒体に記録済みの過去に取得した変更情報を消去することなく当該記録媒体に追加して記録する変更情報記録手段と、上記番組情報に基づくＥＰＧの表示指示を受付ける表示指示受付手段と、上記表示指示受付手段によって上記表示指示が受付けられた場合に、所定の画面に上記番組情報に基づくＥＰＧの番組表を表示するとともに、上記記録媒体に記録されている変更情報毎の変更開始時間の情報および変更作業期間の情報に基づいて特定したネットワークの変更作業毎の時間帯を示す矩形であってネットワークの変更作業毎に色が異なる矩形を上記番組表に重ね合せて表示し、現在の時刻が上記ネットワークの変更作業の時間帯に該当する場合には、上記番組表における現在の時刻が該当するネットワークの変更作業の時間帯に該当する位置に、現在は番組の視聴が不可能である旨の警告表示を行ない、上記変更情報毎の変更開始時間の情報に基づいて、上記番組表における現在の時刻より後のネットワークの変更作業の時間帯に該当する位置に変更作業の開始時刻を表示し、上記番組表上で選択された番組の時間帯の少なくとも一部が上記ネットワークの変更作業の時間帯に抵触する場合には、当該選択された番組の少なくとも一部が視聴不能となる旨の警告表示を行ない、上記ネットワークの変更作業の開始時間以降の時間帯に該当する上記番組表内の領域においては各番組に関する情報を表示せず、上記変更情報毎の変更タイプの情報に基づいて、上記ネットワークの変更作業についてのタイプを各変更作業の時間帯に該当する番組表上の位置に表示し、上記変更情報毎のメッセージに基づいて、上記ネットワークの変更作業に関するメッセージを各変更作業の時間帯に該当する番組表上の位置に表示する表示手段と、を備える構成も、一つの発明として把握することができる。
【図面の簡単な説明】
【００１３】
【図１】液晶テレビジョンの概略構成を示したブロック図である。
【図２】ＥＰＧの番組表にネットワークの変更情報を関連付けて示した画面の一例を示した図である。
【発明を実施するための形態】
【００１４】
以下、本発明の実施形態を図面を参照しながら説明する。
図１は、本実施形態にかかる液晶テレビジョン（液晶ＴＶ）１０の概略構成をブロック図により示している。液晶ＴＶ１０は、デジタル放送受信装置の一例に該当する。液晶ＴＶ１０は、概略、フロントエンド処理回路１１と、復号処理回路１２と、マイクロコンピュータ１３と、リアルタイムクロック（ＲＴＣ）１４と、液晶パネル１５と、リモートコントロールＩ／Ｆ１６と、液晶パネル駆動回路１７と、バックライト１９と、バックライト駆動回路２０とを含んで構成される。
【００１５】
バックライト１９は、液晶パネル１５の背面側に配置され、液晶パネル１５を背面側から照射する。バックライト駆動回路２０は、マイクロコンピュータ１３による制御の下、バックライト１９の点灯・消灯や、点灯時の輝度調整を行う。
フロントエンド処理回路１１は、アンテナ１１ａを介してテレビジョン放送信号を受信するチューナとして機能する。本実施形態では、フロントエンド処理回路１１は、指定されたチャンネルの周波数の電波として、所定規格のデジタル放送信号（例えば、欧州デジタル放送の規格によるデジタル放送信号）を受信するとともに、受信した放送信号を中間周波信号に周波数変換し、アナログ信号としての中間周波信号をデジタル信号に変換し、当該デジタル信号からトランスポートストリーム（ＴＳ）を抽出する。フロントエンド処理回路１１は、抽出したＴＳを復号処理回路１２に出力する。
【００１６】
フロントエンド処理回路１１が受信するデジタル放送信号は、地上波デジタル放送信号であってもよいし、衛星デジタル放送信号であってもよい。また、フロントエンド処理回路１１は、ＩＰ（Internet Protocol）ネットワークと接続することによりＩＰ放送にかかる信号を受信してＴＳを抽出してもよいし、デジタルケーブルテレビ（ＣＡＴＶ）放送をケーブルを介して受信し、受信したデジタルＣＡＴＶ放送からＴＳを抽出してもよい。
【００１７】
復号処理回路１２は、デスクランブル回路、デマルチプレックス回路、デコード回路、画像処理回路、ＯＳＤ（オンスクリーンディスプレイ）回路１２ａ等を備え、デスクランブル回路によってＴＳのスクランブルを解除する。スクランブルが解除されたＴＳは、複数のトランスポートパケットからなり、各トランスポートパケットには映像信号や音声信号やＳＩ（Service Information）等の各種データが格納されている。デマルチプレックス回路は、ユーザが指定するチャンネルにかかる映像信号および音声信号をＴＳから抽出する。
【００１８】
ＴＳから抽出された映像信号および音声信号は、ＭＰＥＧ規格に従って符号化（エンコード）された状態であり、デコード回路は映像信号および音声信号をＭＰＥＧ規格に従って復号化（デコード）する。画像処理回路は、デコードされた映像信号に対して、液晶パネル１５の画素数に応じたスケーリング処理、色補正処理、エッジ強調処理などの各種画像処理を実行し、１画面分の画像を表した映像信号を生成する。復号処理回路１２は、生成した映像信号を、ＯＳＤ回路１２ａを介して液晶パネル駆動回路１７に出力する。ＯＳＤ回路１２ａは、マイクロコンピュータ１３から入力される制御信号や文字情報等のデータに基づいて各種表示に対応するＯＳＤ信号を生成して、映像信号にＯＳＤ信号を重畳して、あるいはＯＳＤ信号のみを、液晶パネル駆動回路１７に出力することが可能である。
【００１９】
液晶パネル駆動回路１７は、復号処理回路１２から入力した映像信号（ＯＳＤ信号含む）を所定のフレームメモリに一時的に保存しつつ、当該保存した信号を所定のタイミングで液晶パネル１５に出力することにより、画素の配列により構成された液晶パネル１５の各画素を駆動して液晶パネル１５に映像信号に基づく画像を表示させる。
【００２０】
リモートコントロールＩ／Ｆ１６は、液晶ＴＶ１０外部のリモートコントローラ（図示せず）から発せられる、ユーザの操作に基づく各種指示（例えば、チャンネルの選局指示や、メニュー画面の表示指示等）の信号を受け付ける。マイクロコンピュータ１３は、リモートコントロールＩ／Ｆ１６を介して入力した指示信号に応じた処理や制御を行なう。図示は省略しているが、液晶ＴＶ１０は、上記デコードされた音声信号に基づく音声出力を行うための音声信号回路やスピーカ、液晶ＴＶ１０の各部に駆動用電源を供給するための電源回路など、ＴＶとしての一般的な各構成を備える。
【００２１】
このような構成において、液晶ＴＶ１０では、受信したデジタル放送信号にネットワークに関する変更情報が含まれている場合には、その都度、それら変更情報を取得し、所定の記録媒体に記録する。ここでは、マイクロコンピュータ１３による上記変更情報の取得、記録処理について説明する。マイクロコンピュータ１３は、復号処理回路１２に指示をすることにより、復号処理回路１２による上記処理の過程でＴＳから、ＳＩとしてのＮＩＴを取得させる。そして、当該ＮＩＴに、ネットワークの変更を通知する記述子およびメッセージを通知するための記述子が含まれている場合に、これら記述子（ディスクリプタ）から、ネットワークに関する所定の変更情報を抽出する。例えば、欧州デジタル放送の規格（ＥＴＳＩ  ＥＮ  ３００  ４６８参照）によれば、ＮＩＴに含まれる情報の一種として、ネットワークの変更を通知する記述子としてnetwork_change_notify_descriptorが規定され、メッセージを通知するための記述子としてmessage_descriptorが規定されている。
【００２２】
そこでマイクロコンピュータ１３は、network_change_notify_descriptorがＮＩＴから得られた場合、当該network_change_notify_descriptorから、start_time_of_changeと、change_durationと、change_typeと、message_idとを取得する。start_time_of_changeはネットワーク変更作業（変更処理）の開始時間を示す情報であり、change_durationは変更作業期間（変更作業に要する時間の長さ）を示す情報であり、change_typeは変更タイプを示す情報であり、message_idはmessage_descriptorとの関連付けをするためのＩＤであり、これらはいずれも上記欧州デジタル放送の規格において、network_change_notify_descriptorに含まれる情報として規定されている。change_typeは、ネットワーク変更作業の種類（例えば、放送に用いる周波数帯の変更や、サービス内容の変更や、マルチプレックスの追加・削除等）を表している。また、マイクロコンピュータ１３は、上記message_idと同一のmessage_idを有するmessage_descriptorから、text_char（メッセージ）を取得する。message_idおよびtext_charも、上記欧州デジタル放送の規格において、message_descriptorに含まれる情報として規定されている。text_charは、ネットワークの変更に関するメッセージ（ネットワークの変更作業に際して視聴者に通知すべきメッセージ）を表示するための文字列である。
【００２３】
マイクロコンピュータ１３は、上記のように各記述子から取得（抽出）したネットワークのある変更作業に関する、start_time_of_change、change_duration、change_typeおよびtext_char（メッセージ）からなる一組の変更情報を、所定のメモリ（記録媒体）１３ａに記録する。このときマイクロコンピュータ１３は、メモリ１３ａに記録済みの過去に取得した変更情報を消去することなく、新たに取得した変更情報をメモリ１３ａに追加記録する。このように  マイクロコンピュータ１３は、ＮＩＴにネットワークに関する変更情報が含まれている場合にＮＩＴからこの変更情報を取得し、変更情報を取得する度にメモリ１３ａに追加して記録する点で、変更情報記録手段として機能すると言える。
【００２４】
またマイクロコンピュータ１３は、復号処理回路１２に指示をすることにより、復号処理回路１２による上記処理の過程でＴＳから、ＳＩとしての番組情報を抽出させる。番組情報としては、例えば、各イベント（番組）のタイトル、放送日時、内容説明など、番組に関する情報を記述したＥＩＴ（Event Information Table）が該当する。マイクロコンピュータ１３は、抽出された番組情報をメモリ１３ａに記録する。
【００２５】
次に、ユーザの指示に応じて液晶ＴＶが、ＥＰＧの番組表を画面表示する場合について説明する。ユーザは、リモートコントローラを操作することにより、液晶ＴＶ１０にＥＰＧの番組表を表示させることができる。つまりマイクロコンピュータ１３は、リモートコントロールＩ／Ｆ１６を介してリモートコントローラから番組表の表示指示を受けた場合に、ＯＳＤ回路１２ａに、メモリ１３ａに記録されているＥＩＴ等の番組情報に基づいてＥＰＧ画面（番組表）を表す画像データ（ＯＳＤ信号）を生成させ、ＯＳＤ回路１２ａは、この生成したＯＳＤ信号を液晶パネル駆動回路１７に出力する。この結果、液晶パネル１５には番組表が表示される。このように、電子番組ガイドの表示指示を受付け可能な点で、液晶ＴＶ１０は表示指示受付手段を備えると言える。
【００２６】
ただし本実施形態では、マイクロコンピュータ１３が、ＯＳＤ回路１２ａや液晶パネル駆動回路１７を制御して液晶パネル１５にＥＰＧの番組表を画面に表示させる際、単に番組情報に基づく表示を行うのではなく、メモリ１３ａに記録されている変更情報に基づいて上記ネットワークの変更作業についての各種情報を番組表に関連付けて表示する。つまり、液晶ＴＶ１０は、表示指示受付手段で電子番組ガイドの表示指示を受付けた場合にメモリ１３ａに記録されている変更情報に基づいて上記ネットワークの変更作業についての時間を番組表上に表示する表示手段として機能する。
【００２７】
図２は、ＯＳＤ回路１２ａが生成したＯＳＤ信号に基づいて液晶パネル１５に表示されるＥＰＧの番組表を例示している。図２においては、チャンネル番号毎の各番組の内容（タイトル等）を時系列で表示した番組表３０が表示されている。
番組表３０においては、ネットワークの変更作業の時間帯を示す矩形３０ａ，３０ｂが重ねて表示されている。なお図２では、矩形３０ａ，３０ｂをそれぞれ一点鎖線で囲って示している。つまりＯＳＤ回路１２ａは、メモリ１３ａに記録されている変更情報毎のstart_time_of_change（変更開始時間）およびchange_duration（変更作業期間）に基づいて、ネットワークの変更作業の時間帯を変更作業毎に特定し、このように特定した時間帯を示す矩形３０ａ，３０ｂを番組表３０に重ねたＥＰＧの画像を生成し、液晶パネル１５に表示させる。なおＯＳＤ回路１２ａは、ネットワークの変更作業毎の矩形３０ａ，３０ｂをそれぞれ異なる色で表示させる。従って、液晶パネル１５に表示された番組表３０を見たユーザは、ネットワークの変更作業が何時実行されるのかを、番組表３０内の番組スケジュールと関連させて把握することができる。
【００２８】
また、番組表３０においては、現在の時刻がネットワークの変更作業の時間帯に該当する場合には、番組表３０におけるネットワークの変更作業の時間帯に該当する位置に、所定の警告表示３０ｃを行なっている。具体的には、ＯＳＤ回路１２ａは、ＲＴＣ１４等で確認した現在時刻が、変更情報毎のstart_time_of_changeおよびchange_durationに基づいて特定されるいずれかのネットワークの変更作業の時間帯に該当している場合には、この変更作業の時間帯を示す矩形（例えば、矩形３０ａ）内の所定位置に現在は番組の視聴が不可能である旨の警告表示３０ｃを表示する画像を生成し、液晶パネル１５に表示させる。警告表示３０ｃの内容は特に限られないが、例えば「現在、変更作業中の為、９：３０〜１０：００はサービスを受信できません」等の表示が考えられる。従って、液晶パネル１５に表示された番組表３０を見たユーザは、現在の時刻がネットワークの変更作業の時間帯に該当するか否か、さらには、現在番組を視聴できない場合にその原因を即座に把握することができる。
【００２９】
また、ＯＳＤ回路１２ａは、メモリ１３ａに記録されている変更情報毎のstart_time_of_change、change_type（変更タイプ）およびtext_char（メッセージ）に基づいて、ネットワークの変更作業の時間帯に該当する位置（変更作業の時間帯を示す矩形（例えば、矩形３０ｂ）内の所定位置）に、変更開始時間３０ｄ、変更タイプ３０ｅおよび変更作業に関するメッセージ３０ｆを表示する画像を生成し、液晶パネル１５に表示させる。従って、液晶パネル１５に表示された番組表３０を見たユーザは、今後予定されているネットワークの変更作業についての、開始時間、変更タイプ（例えば、マルチプレックスの追加）、変更作業に関するメッセージ（例えば“オートサーチを実行してください”等のメッセージ）を把握することができる。
【００３０】
また、液晶ＴＶ１０では、ＥＰＧの番組表３０上でユーザに選択された番組の時間帯の少なくとも一部がネットワークの変更作業の時間帯に抵触する場合に、所定の警告表示３０ｈを行なう。番組表３０においては、ユーザは、リモートコントローラ等を操作することにより画面内のカーソルを移動させ、番組を任意に選択することができる。図２では、ユーザがカーソルで選択している番組を太枠３０ｇで示している。このように、ある番組が番組表３０上で選択され、この選択されている番組の時間帯の少なくとも一部がネットワークの変更作業の時間帯を示す矩形３０ａ，３０ｂのいずれかと重なっている場合、ＯＳＤ回路１２ａは、図２に示すように、当該選択されている番組がネットワークの変更作業が始まる時間以降は視聴不能となる旨の警告表示３０ｈを示すための画像を生成し、液晶パネル１５に表示させる。言い換えると、警告表示３０ｈの位置における表示内容は、ユーザが操作するカーソルの番組表３０上での移動に連動して随時変化する。
【００３１】
また、液晶ＴＶ１０では、ネットワークの変更作業の開始時間以降の時間帯に該当する番組表３０内の領域においては、各番組に関する情報を表示しないとしてもよい。つまり図２に示すように、番組表３０内の各番組のうち、全体がネットワークの変更作業の開始時間以降（矩形３０ａの開始時間である９時３０分以降）となる番組については、番組情報に基づくそれら番組に関する情報（タイトルなど）を表示しないようにする。これは、ネットワークの変更が行なわれた場合は、ネットワークの変更以前に取得された番組情報に従った内容の番組が実際に放送されるかは不確定だからである。このようにすることで、ＥＰＧの番組表３０を見たユーザが、ネットワーク変更作業開始以降の時間帯における不確定な番組情報に惑わされることを防止できる。
【００３２】
このように本実施形態によれば、液晶ＴＶ１０では、受信したデジタル放送信号から取得したＮＩＴにネットワークの変更を通知する記述子（network_change_notify_descriptor）およびメッセージを通知するための記述子（message_descriptor）が含まれている場合に、ネットワークに関する変更情報として、network_change_notify_descriptorからstart_time_of_change（変更開始時間）、change_duration（変更作業期間）、change_type（変更タイプ）とを取得するとともに、message_descriptorからメッセージを取得し、このように変更情報を抽出する度に、当該取得したstart_time_of_change（変更開始時間）、change_duration（変更作業期間）、change_type（変更タイプ）およびメッセージの組み合わせからなる変更情報をメモリ１３ａに記録し、ユーザからＥＰＧの番組表３０の表示指示があった場合には、ＥＩＴ等の番組情報およびメモリ１３ａに記録されている上記変更情報に基づいて、ネットワークの変更作業についての各種情報を番組表に関連付けて液晶パネル１５に表示するとした。つまり、ネットワークの変更作業が行なわれる時間帯の情報や、ネットワークの変更タイプや、ネットワークの変更に際して視聴者に通知すべきメッセージ等が、番組表３０の番組のスケジュールと関連付けて表示されることで、ユーザは、番組のスケジュールと関連付けてネットワークの変更作業のスケジュールを容易かつ詳細に知ることができる。
【符号の説明】
【００３３】
１０…液晶テレビジョン、１１…フロントエンド処理回路、１２…復号処理回路、１２ａ…ＯＳＤ回路、１３…マイクロコンピュータ、１３ａ…メモリ、１４…リアルタイムクロック、１５…液晶パネル、１６…リモートコントロールＩ／Ｆ、１７…液晶パネル駆動回路、１９…バックライト、２０…バックライト駆動回路、３０…番組表、３０ａ，３０ｂ…矩形、３０ｃ，３０ｈ…警告表示、３０ｄ…変更開始時間、３０ｅ…変更タイプ、３０ｆ…メッセージ、３０ｇ…太枠
【図１】
2011010106.tif 000003
【図２】
2011010106.tif 000004